(57)【特許請求の範囲】
【請求項１】
テーパ部を有する移動部材が取付けられ且つ光ピックアップの基台に設けられたアクチュエータ保持部と、
このアクチュエータ保持部の一方面側に配置された光学系と、
この光学系から放射された光束を光ディスクの記録面上に集光させる対物レンズとこの対物レンズの傾きを制御するチルト機構とを有するとともに前記アクチュエータ保持部の他方面側に配置され、アクチュエータベースには前記移動部材の前記テーパ部に当接する当接部が形成されたアクチュエータとを具備し、
前記移動部材を前記対物レンズの光軸に対してほぼ直交する方向から前進，後退の操作を行うことにより、前記アクチュエータを前記光軸と共に傾動させてスキュー調整する移動方向変更手段とすることを特徴とする光ピックアップ。
【請求項２】
前記対物レンズをスキュー調整する前記移動方向変更手段は、前記光軸と直交する二方向のうちの少なくとも一方向に設けられていることを特徴とする請求項１に記載の光ピックアップ。
【請求項３】
前記移動部材はねじ部を有し、このねじ部を前記アクチュエータ保持部に回動自在に螺合させ、前記移動部材を前記対物レンズの前記光軸に対してほぼ直交する方向に移動可能に配置したことを特徴とする請求項１または請求項２に記載の光ピックアップ。
【請求項４】
前記当接部は、この当接部に前記テーパ部が面接触して滑らかに摺動するように、このテーパ部の傾斜角度に対応させてテーパ状または断面弧状に形成されていることを特徴とする請求項１，請求項２または請求項３に記載の光ピックアップ。
【請求項５】
前記テーパ部は前記アクチュエータの前記当接部を押圧する位置に配置され、
前記移動部材を前記アクチュエータに対して前進，後退させたとき、前記アクチュエータは、前記当接部が前記テーパ部に押圧された状態で、このテーパ部の相対位置の変化に応じて前記アクチュエータ保持部に対して傾動し、スキュー調整することを特徴とする請求項１ないし請求項４のいずれかの項に記載の光ピックアップ。
【請求項６】
前記テーパ部は前記アクチュエータと前記アクチュエータ保持部との間に配置され、
前記移動部材を前記アクチュエータに対して前進，後退させたとき、前記アクチュエータは、前記当接部が前記テーパ部に支持された状態で、このテーパ部の相対位置の変化に応じて前記アクチュエータ保持部に対して傾動し、スキュー調整することを特徴とする請求項１ないし請求項４のいずれかの項に記載の光ピックアップ。
【発明の詳細な説明】
【０００１】
【発明の属する技術分野】
本発明は、光ディスクの記録面上に対物レンズで光を集光させて情報の記録，再生などを行う光ピックアップにかかり、特に、対物レンズをスキュー調整（傾き調整）可能な光ピックアップに関する。
【０００２】
【従来の技術】
光ピックアップは、光ディスク再生装置および光ディスク記録再生装置など光ディスク装置に使用されるものであり、記録媒体である光ディスクの記録面上に光たとえばレーザー光を集光させて情報の記録，再生などを行うための装置である。
このように、光ピックアップは、光ディスクの記録面にレーザー光を照射する機能を有しているので、レーザー光に対する対物レンズの角度が適切に調整されていないと、光学的収差が生じて信号レベルの低下などの不都合を生じる。
そこで、光ピックアップを製造する際には、レーザー光に対する対物レンズの角度を高い精度で適正に調整するために、対物レンズが取付けられたアクチュエータを動かして対物レンズをスキュー調整する作業が行われる。
【０００３】
図５は、スキュー調整が可能な従来の光ピックアップの正面図であり、図５（Ａ），（Ｂ）は対物レンズをスキュー調整する際の動作を示している。
図５（Ａ），（Ｂ）に示す光ピックアップ１０１では、光ピックアップ１０１の基台（シャーシ）にアクチュエータ保持部１０２が設けられ、このアクチュエータ保持部１０２によりアクチュエータ１０３が保持されている。
アクチュエータ１０３には、対物レンズ１０４が取付けられている。対物レンズ１０４の光軸Ｅとほぼ平行な方向をＹ方向とし、Ｙ方向に直交して直交３方向をなす方向をＸ方向，Ｚ方向とする。なお、「光軸」は、光学系の光源，レンズ，絞りなどの中心を連ねる直線のことである。
【０００４】
アクチュエータ保持部１０２の一方面側Ｂ1には、レーザー光Ｌを放射するための光学系１０５が配置され、この光学系１０５は、光源１０６，光検出器１０７などを有している。
アクチュエータ１０３は、アクチュエータ保持部１０２の他方面側Ｂ2に配置され、光ディスクＤに対向している。対物レンズ１０４は、光学系１０５から放射された光束（レーザー光Ｌの光束）を光ディスクＤの記録面上に集光させる。
アクチュエータ１０３は、スキュー調整ねじ１０９などによりアクチュエータ保持部１０２に連結されている。スキュー調整ねじ１０９は、光軸Ｅに対してＸ方向とＺ方向に、合計二本設けられている。
二本のスキュー調整ねじ１０９のねじ込み量を調整することにより、アクチュエータ１０３を矢印Ｃ3方向（対物レンズ１０４の光軸Ｅとほぼ平行なＹ方向：図では上下方向）に動かして、対物レンズ１０４をスキュー調整できるようになっている。スキュー調整ねじ１０９は、アクチュエータ保持部１０２の一方面側Ｂ1から他方面側Ｂ2方向に配置されて、アクチュエータベース１１０にねじ込まれている。
【０００５】
【発明が解決しようとする課題】
通常、対物レンズをスキュー調整する場合には、光ディスクを回転させるとともにレーザー光をこの光ディスクに照射しながら、アクチュエータをスキュー調整することになる。
この従来の光ピックアップ１０１の場合、アクチュエータ１０３を矢印Ｃ3方向に動かして対物レンズ１０４をスキュー調整するためには、アクチュエータ保持部１０２の一方面側Ｂ1から、ドライバ１１１などでスキュー調整ねじ１０９を回して、そのねじ込み量を調整する作業を行わなければならない。これは、スキュー調整の際には光ディスクＤが回転しているので、アクチュエータ保持部１０２の他方面側Ｂ2から調整作業を行うことはできないからである。
したがって、アクチュエータ保持部１０２の一方面側Ｂ1に、スキュー調整作業のためのスペースＳを確保しておく必要がある。
【０００６】
ところが、アクチュエータ保持部１０２の一方面側Ｂ1には、光学系１０５を構成する各種光学部品が配置されてかなり密集した構成になっており、これに加えて、必要な光学系光路も確保しておく必要がある。
近年の技術革新により、光ディスクＤに記録される情報量はますます増大しているので、光学系１０５の構成が複雑化するとともに、光学部品の数が増大しその全体のサイズも大きくなってきた。
このような状況のもとで、アクチュエータ１０３を動かして対物レンズ１０４をスキュー調整するためのスペースＳを、光学系１０５の配置位置側に確保するのは困難になってきている。そして、スキュー調整用のスペースＳを確保しようとすると、光学系１０５の設計の自由度に対して大きな制約となっていた。
しかも、スキュー調整ねじ１０９は通常は９０度離れて二本設けられるので、スキュー調整のためのスペースＳを、光学系１０５の配置位置側に二箇所確保する必要があり、光学系１０５の設計の自由度に対する制約が大きな課題になっていた。
【０００７】
本発明は、このような課題を解決するためになされたもので、対物レンズが取付けられたアクチュエータを動かして対物レンズをスキュー調整するためのスペースを、光学系の配置位置側に確保しておく必要のない、光ピックアップを提供することを目的とする。
【０００８】
【課題を解決するための手段】
上述の目的を達成するため、本発明にかかる光ピックアップは、テーパ部を有する移動部材が取付けられ且つ光ピックアップの基台に設けられたアクチュエータ保持部と、このアクチュエータ保持部の一方面側に配置された光学系と、この光学系から放射された光束を光ディスクの記録面上に集光させる対物レンズとこの対物レンズの傾きを制御するチルト機構とを有するとともに前記アクチュエータ保持部の他方面側に配置され、アクチュエータベースには前記移動部材の前記テーパ部に当接する当接部が形成されたアクチュエータとを具備し、前記移動部材を前記対物レンズの光軸に対してほぼ直交する方向から前進，後退の操作を行うことにより、前記アクチュエータを前記光軸と共に傾動させてスキュー調整する移動方向変更手段としている。
前記対物レンズをスキュー調整する前記移動方向変更手段は、前記光軸と直交する二方向のうちの少なくとも一方向に設けられている。
一つの好ましい具体的態様にかかる光ピックアップにおいて、前記移動部材はねじ部を有し、このねじ部を前記アクチュエータ保持部に回動自在に螺合させ、前記移動部材を前記対物レンズの前記光軸に対してほぼ直交する方向に移動可能に配置している。
前記当接部は、この当接部に前記テーパ部が面接触して滑らかに摺動するように、このテーパ部の傾斜角度に対応させてテーパ状または断面弧状に形成されているのが好ましい。
一つの好ましい例として、前記テーパ部は前記アクチュエータの前記当接部を押圧する位置に配置され、前記移動部材を前記アクチュエータに対して前進，後退させたとき、前記アクチュエータは、前記当接部が前記テーパ部に押圧された状態で、このテーパ部の相対位置の変化に応じて前記アクチュエータ保持部に対して傾動し、スキュー調整するようにしている。
また、他の好ましい例として、前記テーパ部は前記アクチュエータと前記アクチュエータ保持部との間に配置され、前記移動部材を前記アクチュエータに対して前進，後退させたとき、前記アクチュエータは、前記当接部が前記テーパ部に支持された状態で、このテーパ部の相対位置の変化に応じて前記アクチュエータ保持部に対して傾動し、スキュー調整するようにしてもよい。
【０００９】
【発明の実施の形態】
以下、本発明にかかる実施の形態の一例を、図１ないし図４を参照して説明する。
（第１の実施形態）
図１は、本発明の第１の実施形態にかかる光ピックアップの正面図であり、図１（Ａ），（Ｂ）は、対物レンズをスキュー調整（傾き調整）する際の動作を示している。
図１（Ａ），（Ｂ）において、光ディスク装置（図示せず）に使用される光ピックアップ１は、移動機構（図示せず）により、記録媒体である光ディスクＤの半径方向に制御されつつ移動可能になっている。
光ディスク装置において、光ディスクＤが駆動モータにより回転駆動されている状態で、移動機構で所望の位置に光ピックアップ１を移動させる。そして、光ピックアップ１は、光（たとえば、レーザー光Ｌ）を対物レンズ５で光ディスクＤの記録面上に集光させて、光ディスクＤに対して情報の記録，再生などを行う。光ディスクＤとしては、ＣＤ，ＣＤ−ＲＯＭ，ＣＤ−Ｒ，ＣＤ−ＲＷ，ＭＤ，ＭＯ，ＤＶＤ−ＲＯＭ，ＤＶＤ−ＲＡＭ，ＤＶＤ−Ｒ，ＤＶＤ−ＲＷなどがある。
【００１０】
光ピックアップ１は、この光ピックアップ１の図示しない基台（シャーシ）に設けられたアクチュエータ保持部２と、アクチュエータ保持部２の一方面側Ｂ1に配置された光学系３と、アクチュエータ保持部２の他方面側Ｂ2に配置され、光ディスクＤに対向するアクチュエータ４とを備えている。
アクチュエータ４は、光学系３から放射された光束（レーザー光Ｌの光束）を光ディスクＤの記録面上に集光させる対物レンズ５と、対物レンズ５の傾きを制御するチルト機構２５とを有している。アクチュエータ４は、光束に対する対物レンズ５の傾きを変更可能に、アクチュエータ保持部２に保持されている。
なお、対物レンズ５の光軸Ｅとほぼ平行な第１の方向（すなわち、光ディスクＤにほぼ垂直な方向）をＹ方向とし、このＹ方向に直交して直交３方向をなす第２の方向，第３の方向をそれぞれＸ方向，Ｚ方向とする。
【００１１】
光ピックアップ１は、対物レンズ５をスキュー調整するために、アクチュエータ保持部２に設けられた移動方向変更手段６を備えている。
移動方向変更手段６は、光軸Ｅと直交する二方向（Ｘ方向，Ｚ方向）のうちの少なくとも一方向に設けられている。図示する光ピックアップ１では、対物レンズ５のスキュー調整をより高精度にするために、移動方向変更手段６は、光軸Ｅと直交する二方向（Ｘ方向，Ｚ方向）にそれぞれ設けられている。
移動方向変更手段６は、対物レンズ５の光軸Ｅに対してほぼ直交する方向から、テーパ部３５を有する移動部材７を矢印Ｃ1方向（対物レンズ５の光軸Ｅに対してほぼ直交する方向、すなわち、Ｘ方向およびＺ方向と水平な方向：図では横方向）に操作することにより、アクチュエータ４を矢印Ｃ2に示すように傾動させて対物レンズ５をスキュー調整できるようにしている。
【００１２】
そのために、移動方向変更手段６は、移動部材７と、アクチュエータ４の対応位置に形成した当接部３６とを有している。移動部材７は、テーパ部３５と、ねじ部としてのおねじ部１１とを有し、おねじ部１１をアクチュエータ保持部２に回動自在に螺合させ、対物レンズ５の光軸Ｅに対してほぼ直交する方向（Ｘ方向およびＺ方向）に移動可能に配置されている。そして、アクチュエータ４の当接部３６に、移動部材７のテーパ部３５が当接するようにしている。
光ピックアップ１の製造工程において、対物レンズ５をスキュー調整する作業は、移動部材７を操作することにより行われる。すなわち、移動部材７をＸ方向とＺ方向に平行な面方向（矢印Ｃ1方向）に移動させると、アクチュエータ４は、当接部３６に当接しているテーパ部３５の相対位置の変化に応じて、移動部材７の移動方向とはほぼ直交する方向（矢印Ｃ2方向）に傾動する。
【００１３】
アクチュエータ保持部２は、光ピックアップ１の基台に固定され、板材により一体的に折曲形成されている。アクチュエータ保持部２には、移動部材７を取付けるための立ち上がり部８が、底板部９からほぼ直角に立ち上がるように折曲形成されるとともに、Ｘ方向とＺ方向に配置されている。
Ｘ方向の立ち上がり部８に形成されたねじ部としてのめねじ部１０に、Ｘ方向の移動部材７のおねじ部１１がねじ込まれている。同様に、Ｚ方向の立ち上がり部８に形成されためねじ部１０に、Ｚ方向の移動部材７のおねじ部１１がねじ込まれている。
アクチュエータ４は、対物レンズ５を保持しているレンズ保持部１３と、レンズ保持部１３を支持する支持ワイヤ１４と、支持ワイヤ１４を支持するワイヤ支持部材１５と、ワイヤ支持部材１５などが取付けられたアクチュエータベース１６などとを有している。
アクチュエータベース１６は、板状部材により一体的に形成されており、その上面には、ワイヤ支持部材１５の他にヨーク１９〜２２なども固定されている。アクチュエータベース１６の下部には、外周面が球面状に形成された球座部２３が、一体的に突出形成されている。
アクチュエータ保持部２の底板部９には、穴の内周面を球面状に形成した球座受け部１２が穿設されている。アクチュエータベース１６の球座部２３は、アクチュエータ保持部２の球座受け部１２に摺接可能に係合している。
これにより、アクチュエータ４は、アクチュエータ保持部２にスキュー調整可能に保持されている。アクチュエータ４は、球座部２３が球座受け部１２に対して摺動することにより、アクチュエータ保持部２に対して角度を変えることができる。
【００１４】
レンズ保持部１３には、光ディスクＤに対する対物レンズ５の位置や姿勢などの状態を微調整するための、フォーカスコイル１７およびトラッキングコイル１８が設けられている。このコイル１７，１８，ヨーク１９〜２２および永久磁石などにより、対物レンズ５の傾きを制御するためのチルト機構２５が構成されている。
なお、本実施形態では、対物レンズ５がレンズ保持部１３のほぼ中央部に配置された「レンズセンタータイプ」の場合を示しているが、対物レンズ５がレンズ保持部１３の外側に配置された「レンズオフセットタイプ」の場合であってもよい。
また、レンズ保持部１３の可動部の支持方式としては、「ワイヤサスペンション方式」の場合を図示しているが、フォーカス方向の移動はセンターシャフトに沿って上下に移動させ、トラッキング方向の移動はセンターシャフトのまわりに回転させる「軸摺動方式」の場合であってもよい。
【００１５】
光学系３は、レーザー光Ｌを発生する半導体レーザーなど光源３０と、光検出器３１と、図示しない反射ミラー，レンズ，回折格子など各種光学部品とを有している。光検出器３１は、光ディスクＤで反射したレーザー光Ｌを受光し、フォーカスエラー信号，トラッキングエラー信号，再生信号などを検出する。
光学系３を構成するほとんどの光学部品と光学系光路は、アクチュエータ保持部２の一方面側Ｂ1に配置される。対物レンズ５も光学系３を構成しているが、対物レンズ５は、アクチュエータ保持部２の他方面側Ｂ2に配置されている。
【００１６】
移動方向変更手段６は、テーパ部３５を有する移動部材７と、移動部材７に当接する当接部３６とを有している。移動部材７のおねじ部１１は、アクチュエータ保持部２に形成されためねじ部１０にねじ込まれており、テーパ部３５は、移動部材７の先端部に円錐状に形成されている。なお、「テーパ部」は、傾斜面を有する部位のことである。
移動部材７は、対物レンズ５の光軸Ｅに対してほぼ直交する方向（たとえば、Ｙ方向に直交して直交３方向をなすＸ方向およびＺ方向）に移動可能に配置されている。
当接部３６は、移動部材７のテーパ部３５に当接するように、アクチュエータ４にＸ方向およびＺ方向にそれぞれ設けられている。当接部３６は、アクチュエータ４が取付けられたアクチュエータベース１６の端部上面側に形成されている。
当接部３６は、これにテーパ部３５が面接触して滑らかに摺動するように、テーパ部３５の傾斜角度に対応させてテーパ状（または、断面弧状）に形成されている。なお、当接部３６に対してテーパ部３５が相対的に容易に動くことができれば、当接部３６はテーパ状に形成されていない場合でもよい。
【００１７】
テーパ部３５は、円錐状のテーパ面（傾斜面）を有して、アクチュエータ４のアクチュエータ保持部２とは反対側（すなわち、アクチュエータベース１６の上面側）に配置されている。すなわち、テーパ部３５は、アクチュエータ４の当接部３６を押圧する位置に配置されている。
移動部材７のおねじ部１１のねじ込み量を調整する操作を行なって、移動部材７をアクチュエータ４に対して矢印Ｃ1方向に前進，後退させたとき、アクチュエータ４は、その当接部３６がテーパ部３５に押圧された状態で、テーパ部３５の相対位置の変化に応じてアクチュエータ保持部２に対して矢印Ｃ2方向に光軸Ｅと共に傾動し、スキュー調整するようになっている。
これにより、対物レンズ５が取付けられたアクチュエータ４を傾動させて、対物レンズ５をスキュー調整することができる。図１（Ａ），（Ｂ）は、それぞれ当接部３６がアクチュエータ保持部２の底板部９に対して傾動した場合を示している。
【００１８】
アクチュエータベース１６は、図示されていない別の機構により、矢印Ｇに示すように、常にアクチュエータ保持部２に押し付けられる構成になっている。なお、この構成は、図２ないし図５に示す光ピックアップでも同様である。
したがって、アクチュエータ４は、前記別の機構と移動部材７とにより、アクチュエータ保持部２の方向に押し付けられた状態で位置決め保持される。
光学系３から放射された光束が、対物レンズ５の光軸Ｅと一致するように（すなわち、光学系３から放射された光束の中心軸線に対して、対物レンズ５が直角に配置されるように）、移動部材７をＸ方向（および、Ｚ方向）に位置調整することにより、対物レンズ５をスキュー調整することになる。
図１（Ａ）に示す状態では前記光束と光軸Ｅが不一致であったのに対して、移動部材７のおねじ部１１のねじ込み量を調整する操作を行なって、対物レンズ５をスキュー調整することにより、図１（Ｂ）に示すように、光束と光軸Ｅを精度良く一致させることができる。その結果、レーザー光Ｌが対物レンズ５を通るときに光学的収差が生じることがなく、信号レベルの低下を防止することができる。
【００１９】
図２は、第１の実施形態の変形例にかかる光ピックアップ１ａの正面図であり、図２（Ａ），（Ｂ）は、対物レンズ５をスキュー調整する際の動作を示している。
なお、図２ないし図４に示す実施形態および変形例において、図１に示す実施形態と同一または相当部分には同一符号を付してその説明を省略し、異なる部分のみ説明する。
図２（Ａ），（Ｂ）に示す光ピックアップ１ａでは、アクチュエータ保持部２の底板部９に、移動部材７を矢印Ｃ1方向に移動可能に配置するための凹部４０が形成されている。移動部材７の先端側に形成されたテーパ部３５は、アクチュエータ４とアクチュエータ保持部２との間に配置されている。
【００２０】
移動方向変更手段６ａは、アクチュエータ４とアクチュエータ保持部２の少なくとも一方に設けられている。
移動方向変更手段６ａは、光軸Ｅと直交する二方向（Ｘ方向，Ｚ方向）のうちの少なくとも一方向に設けられている。図示する光ピックアップ１ａでは、対物レンズ５のスキュー調整をより高精度にするために、移動方向変更手段６ａは、光軸Ｅと直交する二方向（Ｘ方向，Ｚ方向）にそれぞれ設けられている。
移動方向変更手段６ａは、対物レンズ５の光軸Ｅに対してほぼ直交する方向から移動部材７を矢印Ｃ1方向に操作することにより、アクチュエータ４を光軸Ｅと共に傾動させて（矢印Ｃ2方向）対物レンズ５をスキュー調整する機能を有している。
そのために、移動方向変更手段６ａは、移動部材７と、アクチュエータ４の対応位置に形成した当接部３６ａとを有している。移動部材７は、テーパ部３５とおねじ部１１を有し、おねじ部１１をアクチュエータ保持部２に回動自在に螺合させ、対物レンズ５の光軸Ｅに対してほぼ直交する方向（Ｘ方向およびＺ方向）に移動可能に配置されている。そして、アクチュエータ４の当接部３６ａに、移動部材７のテーパ部３５が当接するようにしている。
移動部材７は、アクチュエータ保持部２に形成されためねじ部１０にねじ込まれている。当接部３６ａは、移動部材７のテーパ部３５に当接するように、アクチュエータ４にＸ方向およびＺ方向にそれぞれ設けられている。当接部３６ａは、アクチュエータ４が取付けられたアクチュエータベース１６の端部下面側に形成されている。
当接部３６ａは、これにテーパ部３５が面接触して滑らかに摺動するように、テーパ部３５の傾斜角度に対応させてテーパ状（または、断面弧状）に形成されている。なお、当接部３６ａに対してテーパ部３５が相対的に容易に動くことができれば、当接部３６ａはテーパ状に形成されていない場合でもよい。
【００２１】
テーパ部３５は、アクチュエータ４とアクチュエータ保持部２との間に配置されている。移動部材７のおねじ部１１のねじ込み量を調整する操作を行なって、移動部材７をアクチュエータ４に対して矢印Ｃ1方向に前進，後退させたとき、アクチュエータ４は、当接部３６ａがテーパ部３５に接触して支持された状態で、テーパ部３５の相対位置の変化に応じてアクチュエータ保持部２に対して矢印Ｃ2方向に光軸Ｅと共に傾動し、スキュー調整することになる。
すなわち、図２（Ａ）に示すように、テーパ部３５がアクチュエータ４に対して後退していれば、アクチュエータ４の当接部３６ａはアクチュエータ保持部２に対して接近している。
また、図２（Ｂ）に示すように、移動部材７を操作して、テーパ部３５がアクチュエータ４に対して前進すれば、アクチュエータ４の当接部３６ａは、テーパ部３５に支持されてアクチュエータ保持部２に対して離隔することになる。
その結果、光学系３から放射された光束（レーザー光Ｌの光束）が、図２（Ａ）に示すように対物レンズ５の光軸Ｅに対して不一致であった場合、図２（Ｂ）に示すように、移動部材７を矢印Ｃ1方向に操作することにより、光束と光軸Ｅとが高精度に一致するように、アクチュエータ４を矢印Ｃ2方向に傾動させて対物レンズ５をスキュー調整することができる。
【００２２】
（第２の実施形態）
図３は、本発明の第２の実施形態にかかる光ピックアップ１ｂの正面図であり、図３（Ａ），（Ｂ）は、対物レンズ５をスキュー調整する際の動作を示している。
図３（Ａ），（Ｂ）に示す光ピックアップ１ｂには、対物レンズ５をスキュー調整するための移動方向変更手段６ｂが設けられている。
移動方向変更手段６ｂは、光軸Ｅと直交する二方向（Ｘ方向，Ｚ方向）のうちの少なくとも一方向に設けられている。図示する光ピックアップ１ｂでは、対物レンズ５のスキュー調整をより高精度にするために、移動方向変更手段６ｂは、光軸Ｅと直交する二方向（Ｘ方向，Ｚ方向）にそれぞれ設けられている。
移動方向変更手段６ｂは、対物レンズ５の光軸Ｅに対してほぼ直交する方向から移動部材７ｂを矢印Ｃ1方向に操作することにより、アクチュエータ４を光軸Ｅと共に傾動させて（矢印Ｃ2方向）対物レンズ５をスキュー調整できるようにしている。
そのために、移動方向変更手段６ｂは、移動部材７ｂと、アクチュエータ４の対応位置に形成した当接部３６ｂとを有している。移動部材７ｂは、テーパ部３５ｂを有し、アクチュエータ保持部２に係合して対物レンズ５の光軸Ｅに対してほぼ直交する方向（Ｘ方向およびＺ方向）に移動可能に配置されている。そして、アクチュエータ４の当接部３６ｂに、移動部材７ｂのテーパ部３５ｂが当接するようにしている。
【００２３】
移動部材７ｂは、光軸Ｅを中心として半径方向（矢印Ｃ1方向）のみに移動可能なように、アクチュエータ保持部２に係合している。当接部３６ｂは、移動部材７ｂのテーパ部３５ｂに当接するように、アクチュエータ４にＸ方向およびＺ方向にそれぞれ設けられている。当接部３６ｂは、アクチュエータ４が取付けられたアクチュエータベース１６の端部上面側に形成されている。
当接部３６ｂは、これにテーパ部３５ｂが面接触して滑らかに摺動するように、テーパ部３５ｂの傾斜角度に対応させてテーパ状（または、断面弧状）に形成されている。なお、当接部３６ｂに対してテーパ部３５ｂが相対的に容易に動くことができれば、当接部３６ｂはテーパ状に形成されていない場合でもよい。
【００２４】
テーパ部３５ｂは、平面状のテーパ面（傾斜面）が形成されて、アクチュエータ４のアクチュエータ保持部２とは反対側（アクチュエータベース１６の上面側）に配置されている。すなわち、テーパ部３５ｂはアクチュエータ４の当接部３６ｂを押圧する位置に配置されている。
移動部材７ｂを操作して、移動部材７ｂをアクチュエータ４に対して矢印Ｃ1方向に前進，後退させたとき、アクチュエータ４は、その当接部３６ｂがテーパ部３５ｂに押圧された状態で、テーパ部３５ｂの相対位置の変化に応じてアクチュエータ保持部２に対して矢印Ｃ2方向に光軸Ｅと共に傾動し、スキュー調整するようになっている。
したがって、図３（Ａ）に示すように移動部材７ｂが前進した状態では、対物レンズ５の光軸Ｅが光束に対して傾いている場合、図３（Ｂ）に示すように移動部材７ｂを操作して、テーパ部３５ｂをアクチュエータ４に対して後退させれば、アクチュエータ４の当接部３６ｂが、テーパ部３５ｂに押された状態でアクチュエータ保持部２に対して離隔する。
このようにして、アクチュエータ４を動かして、対物レンズ５をスキュー調整することにより、光軸Ｅを光束に高精度に一致させることができる。
【００２５】
図４は、第２の実施形態の変形例にかかる光ピックアップ１ｃの正面図であり、図４（Ａ），（Ｂ）は、対物レンズ５をスキュー調整する際の動作を示している。
図４（Ａ），（Ｂ）に示す光ピックアップ１ｃには、対物レンズ５をスキュー調整するための移動方向変更手段６ｃが設けられている。
移動方向変更手段６ｃは、光軸Ｅと直交する二方向（Ｘ方向，Ｚ方向）のうちの少なくとも一方向に設けられている。図示する光ピックアップ１ｃでは、対物レンズ５のスキュー調整をより高精度にするために、移動方向変更手段６ｃは、光軸Ｅと直交する二方向（Ｘ方向，Ｚ方向）にそれぞれ設けられている。
移動方向変更手段６ｃは、対物レンズ５の光軸Ｅに対してほぼ直交する方向から移動部材７ｃを操作することにより、アクチュエータ４を光軸Ｅと共に傾動させて（矢印Ｃ2方向）対物レンズ５をスキュー調整できるようにしている。
そのために、移動方向変更手段６ｃは、移動部材７ｃと、アクチュエータ４の対応位置に形成した当接部３６ｃとを有している。移動部材７ｃは、テーパ部３５ｃを有し、アクチュエータ保持部２に係合して対物レンズ５の光軸Ｅに対してほぼ直交する方向（Ｘ方向およびＺ方向）に移動可能に配置されている。そして、アクチュエータ４の当接部３６ｃに、移動部材７ｃのテーパ部３５ｃが当接するようにしている。
【００２６】
移動部材７ｃは、光軸Ｅを中心として半径方向（矢印Ｃ1方向）のみに移動可能なように、アクチュエータ保持部２に係合している。当接部３６ｃは、移動部材７ｃのテーパ部３５ｃに当接するように、アクチュエータ４にＸ方向およびＺ方向にそれぞれ設けられている。当接部３６ｃは、アクチュエータ４が取付けられたアクチュエータベース１６の端部下面側に形成されている。
当接部３６ｃは、これにテーパ部３５ｃが面接触して滑らかに摺動するように、テーパ部３５ｃの傾斜角度に対応させてテーパ状（または、断面弧状）に形成されている。なお、当接部３６ｃに対してテーパ部３５ｃが相対的に容易に動くことができれば、当接部３６ｃはテーパ状に形成されていない場合でもよい。
【００２７】
移動部材７ｃは、光軸Ｅを中心に半径方向（矢印Ｃ1方向）のみに移動可能なようにアクチュエータ保持部２に係合している。テーパ部３５ｃは、平面状のテーパ面（傾斜面）が形成されて、アクチュエータ４とアクチュエータ保持部２との間に挟まれた状態で配置されている。
移動部材７ｃを操作して、この移動部材７ｃをアクチュエータ４に対して矢印Ｃ1方向に前進，後退させたとき、アクチュエータ４は、当接部３６ｃがテーパ部３５ｃに接触して支持された状態で、テーパ部３５ｃの相対位置の変化に応じてアクチュエータ保持部２に対して矢印Ｃ2方向に光軸Ｅと共に傾動し、スキュー調整することになる。
【００２８】
すなわち、図４（Ａ）に示すようにテーパ部３５ｃがアクチュエータ４に対して後退している状態のときに、対物レンズ５の光軸Ｅが光束に対して傾いている場合、図４（Ｂ）に示すように移動部材７ｃを操作して、テーパ部３５ｃをアクチュエータ４に対して前進させることにより、アクチュエータ４の当接部３６ｃが、テーパ部３５ｃに支持された状態でアクチュエータ保持部２に対して離隔することになる。
このようにして、アクチュエータ４を傾動させて対物レンズ５をスキュー調整することにより、光軸Ｅを光束に精度よく一致させることができる。
【００２９】
上述のように、本発明の光ピックアップ１，１ａ〜１ｃでは、移動部材７，７ｂ，７ｃを、対物レンズ５の光軸Ｅに対してほぼ直交する方向（Ｘ方向，Ｚ方向）から操作することにより、アクチュエータ４を矢印Ｃ2方向に傾動させて対物レンズ５をスキュー調整することができる。
このスキュー調整は、光ピックアップ１，１ａ〜１ｃの製造工程の最終調整の作業の一つとして行われる。光軸Ｅに対してほぼ直交する方向からスキュー調整作業ができるので、この作業のためのスペースを、光軸Ｅに対してほぼ直交する方向に容易に確保して、対物レンズ５を高精度にスキュー調整することができる。
対物レンズ５のスキュー調整作業は、アクチュエータ保持部２の底板部の上面側（すなわち、アクチュエータ４に対向する面側）で行うことができるので、アクチュエータ保持部２の一方面側Ｂ1に配置されている光学系３の光学部品および光学系光路と一切干渉することがない。すなわち、対物レンズ５をスキュー調整するためのスペースを、光学系３の配置位置側（すなわち、一方面側Ｂ1）に確保しておく必要がない。
その結果、アクチュエータ保持部２の一方面側Ｂ1のスペースを自在に使って、光学系３の光学部品や光学系光路を自在に配置することができ、設計の自由度が拡がる。
なお、対物レンズ５の上述のスキュー調整が完了すると、アクチュエータ４は、アクチュエータ保持部２に接着剤などで動かないように位置決め固定される。
【００３０】
光ピックアップ１，１ａ〜１ｃでは、テーパ部を有する移動部材７，７ｂ，７ｃをアクチュエータ保持部２に配置し、当接部３６，３６ｂ，３６ｃをアクチュエータ４のアクチュエータベース１６に形成している。
したがって、テーパ部を形成するためにアクチュエータベース１６を機械加工する必要がなく、アクチュエータベース１６を板材で容易に且つ安価に一体的に形成することができる。
【００３１】
一つのピックアップのＸ方向に設ける移動部材および当接部の組と、Ｚ方向に設ける移動部材および当接部の組が同じ構成の場合を示したが、Ｘ方向の移動部材および当接部の組の構成と、Ｚ方向の移動部材および当接部の組の構成とが異なるようにしてもよい。
なお、光ピックアップ１，１ａ〜１ｃの移動方向変更手段６，６ａ〜６ｃは、移動部材７，７ｂ，７ｃの直線運動をアクチュエータ４の傾動運動に変更しているが、移動部材を回動可能にしてこの回転運動をアクチュエータ４の傾動運動に変更する移動方向変更手段であってもよい。
たとえば、対物レンズ５の光軸Ｅに対してほぼ直交する方向から移動部材を回転操作することにより、アクチュエータ４をＹ方向（矢印Ｃ2方向）に動かして対物レンズ５をスキュー調整するようにしてもよい。
なお、それほど高精度なスキュー調整が要求されない光ピックアップでは、対物レンズ５をスキュー調整する移動方向変更手段を、光軸Ｅと直交する一方向のみ（たとえば、Ｘ方向のみまたはＺ方向のみ）に設けた場合であってもよい。
なお、各図中同一符号は同一または相当部分を示す。
【００３２】
【発明の効果】
本発明は上述のように構成したので、対物レンズが取付けられたアクチュエータを動かして対物レンズをスキュー調整するためのスペースを、光学系の配置位置側に確保しておく必要がなく、また、テーパ部を有する移動部材をアクチュエータ保持部に配置し、当接部をアクチュエータのアクチュエータベースに形成したので、テーパ部を形成するためにアクチュエータベースを機械加工する必要がなく、アクチュエータベースを板材で容易に且つ安価に一体的に形成することができる。
【図面の簡単な説明】
【図１】  本発明の第１の実施形態にかかる光ピックアップの正面図である。
【図２】  第１の実施形態の変形例にかかる光ピックアップの正面図である。
【図３】  本発明の第２の実施形態にかかる光ピックアップの正面図である。
【図４】  第２の実施形態の変形例にかかる光ピックアップの正面図である。
【図５】  従来の光ピックアップの正面図である。
【符号の説明】
１，１ａ〜１ｃ  光ピックアップ
２              アクチュエータ保持部
３              光学系
４              アクチュエータ
５              対物レンズ
６，６ａ〜６ｃ  移動方向変更手段
７，７ｂ，７ｃ  移動部材
１１            おねじ部（ねじ部）
１６            アクチュエータベース
２５            チルト機構
３５，３５ｂ，３５ｃ    テーパ部
３６，３６ａ〜３６ｃ    当接部
Ｂ1             一方面側
Ｂ2             他方面側
Ｄ              光ディスク
Ｅ              光軸
Ｌ              レーザー光（光）
Ｘ方向          第２の方向
Ｙ方向          第１の方向
Ｚ方向          第３の方向
【図１】
0003716979.tif 000002
【図２】
0003716979.tif 000003
【図３】
0003716979.tif 000004
【図４】
0003716979.tif 000005
【図５】
0003716979.tif 000006